(57)【要約】【課題】食器皿等に取り付けて使用する際に、醤油やタレ等の液体又は飲料が入った缶やボトル等を選択的に収容することができる容器を提供する。【解決手段】把持部３０が、収容部２０の開口部２４側から収容部２０の底部２２の下方まで湾曲して延びるとともに先端部３３が底部２２の下面に近接するので、食器皿等に取り付けて使用できる。この際、液体を収容可能な収容部２０に、上方に開口する開口部２４を設けたので、醤油やタレ等の液体又は飲料が入った缶やボトル等を選択的に収容することができる。【選択図】  図１
0003209943.tif 000002
【実用新案登録請求の範囲】
【請求項１】
使用時に上方に開口する開口部を有するとともに液体を収容可能な収容部と、
前記収容部を把持するための把持部と、を有し、
前記把持部は、前記収容部の開口部側から前記収容部の底部の下方まで湾曲して延びるとともに先端部が前記底部の下面に近接する容器。
【請求項２】
請求項１に記載の容器において、
前記収容部の底部の下面に複数個の脚部を有する容器。
【請求項３】
請求項１又は請求項２に記載の容器において、
前記収容部の内側面の内径が、底部に向かって漸減する容器。
【請求項４】
請求項１から請求項３のうちのいずれか１項に記載の容器において、
前記把持部の付け根上面に凹部を有する容器。
【考案の詳細な説明】
【技術分野】
【０００１】
本考案は、食器皿等に取り付けて使用できる容器に関する。
【背景技術】
【０００２】
従来、皿状の食器に取り付けて別物を収容する容器や（例えば、特許文献１参照）、皿状の食器に取り付けてコップ等を保持する補助具（例えば、特許文献２参照）が知られている。
【０００３】
特許文献１に記載の容器は、欠損した食器皿の欠損部分を修復するためのものであり、欠損部分に取り付けることにより食器皿の美観を回復して、使用に供することができるようにするものである。
このため、食器皿に取り付けるための取付具と、欠損部に取り付けられる本体を有する。本体には、例えば醤油やタレ等の液体を収容することができる。
【０００４】
また、特許文献２に記載の補助具は、立食パーティ、野外パーティ、キャンプ等において、飲料入りコップと料理とをまとめて片方の手にだけ持った状態で自由に移動できるようにするためのものである。
このため、テーブル等の上に置くための置き足部と、置き足部の上に設けられ片手で持つための握持部と、握持部の上に設けたコップ立て部と、握持部の側面に設けた、料理等の受け皿の縁部分を挟み着ける挟置部とを有する。
【先行技術文献】
【特許文献】
【０００５】
【特許文献１】実開平０２−５４４７３号公報
【特許文献２】特許第３７０４６７５号公報
【考案の概要】
【考案が解決しようとする課題】
【０００６】
しかしながら、前述した特許文献１に記載の容器には、醤油や漬物等を収容することができるものの、コップや缶やボトル等を保持することはできない。また、特許文献２に記載の保持具では、醤油やタレ等の液体を収容することができない。このため、醤油や漬物等の液体を収容する場合あるいは飲料が入った缶やボトル等を収容する場合には、それぞれの目的に沿った容器等を選択して用いなければならないという問題があった。
【０００７】
本考案は、従来の問題を解決するためになされたもので、食器皿等に取り付けて使用する際に、醤油やタレ等の液体又は飲料が入った缶やボトル等を選択的に収容することができる容器を提供することを目的とする。
【課題を解決するための手段】
【０００８】
（１）本願考案に係る１つの態様は、
使用時に上方に開口する開口部を有するとともに液体を収容可能な収容部と、
前記収容部を把持するための把持部と、を有し、
前記把持部は、前記収容部の開口部側から前記収容部の底部の下方まで湾曲して延びるとともに先端部が前記底部の下面に近接することを特徴とする容器を提供する。
【０００９】
（２）上記（１）に記載の容器において、
前記収容部の底部の下面に複数個の脚部を有するものであってもよい。
【００１０】
（３）また、上記（１）又は（２）に記載の容器において、
前記収容部の内側面の内径が、底部に向かって漸減するものであってもよい。
【００１１】
（４）さらに、上記（１）から（３）のいずれかに記載の容器において、
前記把持部の付け根上面に凹部を有するものであってもよい。
【考案の効果】
【００１２】
本考案は、把持部が、収容部の開口部側から収容部の底部の下方まで湾曲して延びるとともに先端部が底部の下面に近接するので、食器皿等に取り付けて使用できる。この際、液体を収容可能な収容部に上方に開口する開口部を設けたので、醤油やタレ等の液体又は飲料が入った缶やボトル等を選択的に収容することができるという効果を有する容器を提供できる。
【図面の簡単な説明】
【００１３】
【図１】本考案に係る実施形態の容器の全体斜視図である。
【図２】（Ａ）は本考案に係る実施形態の容器の正面図であり、（Ｂ）は（Ａ）中矢印Ｂ方向から見た底面図である。
【図３】本考案に係る実施形態の容器を食器皿に取り付けてタレ等の液体を収容した状態を示す斜視図である。
【図４】（Ａ）は図３中矢印Ａ方向から見た正面図であり、（Ｂ）は図３中矢印Ｂ方向から見た平面図である。
【図５】（Ａ）は容器と食器皿との間に箸を挿入する状態を示す斜視図であり、（Ｂ）は正面図である。
【図６】食器皿に取り付けた容器に缶を収容した状態を示す斜視図である。
【考案を実施するための形態】
【００１４】
以下、本考案に係る実施形態の容器について、図面を用いて説明する。図１には、本考案に係る実施形態の容器１０の全体斜視図が示されている。また、図２（Ａ）は容器１０の正面図であり、（Ｂ）は（Ａ）中矢印Ｂ方向から見た底面図である。
【００１５】
図１及び図２に示すように、容器１０は、液体２１（図３参照）を収容可能な収容部２０と、収容部２０を把持するための把持部３０を有する。
なお、以下の説明においては、図１に示すように、容器１０の使用時における上方を「上」とし、下方を「下」として説明する。
【００１６】
収容部２０は、例えば平面視円形の底部２２（図３参照）を有しており、底部２２の外周部には側壁２３が立設されている。そして、側壁２３の上端は、上方に開口した開口部２４を形成している。側壁２３の内側面２３１の内径は、開口部２４から底部２２に向かって漸減するのが望ましい。内径の減少は、減少率が一定の直線的であってもよい。この場合には、収容部２０は円錐台形状となる。あるいは、内径の減少は、減少率が変化する曲線的であってもよいが、常に内径が減少し、増加することがないようにする。
これにより、容器１０の収容部２０にタレ等の液体２１（図３参照）を収容することができるとともに、使用後には、収容部２０を容易に洗浄することができる。
【００１７】
図２（Ａ）及び図２（Ｂ）に示すように、収容部２０の底部２２の下面２２１には、複数個（ここでは、例えば２個）の脚部２５が同じ高さで突出して形成されている。脚部２５は、把持部３０側（図２において左側）に第１の斜面２５１を有するとともに、第１の斜面２５１と反対側（図２において右側）に第２の斜面２５２を有し、第１の斜面２５１と第２の斜面２５２との間に最も高さが高い中央部２５３を有する。
【００１８】
第１の斜面２５１及び第２の斜面２５２は、平面でもよいし、曲面で形成されていてもよい。また、中央部２５３は、平面でもよいし、曲面でもよい。ここでは、脚部２５は、全体として台形あるいは曲面形状に形成されているが、単に、部分球状であってもよい。なお、各脚部２５の間には、隙間２６が形成されている。
【００１９】
図１及び図２に示すように、把持部３０は、一方の端部である付け根３１が側壁２３の上端に取り付けられており、中間部３２は収容部２０の底部２２の下方まで湾曲して形成されている。そして、他方の端部である先端部３３は、底部２２の下面２２１に近接している。把持部３０は、若干の弾性を有するのが望ましい。また、先端部３３は、脚部２５の第２の斜面２５２付近か、それよりも前方まで延びるのが望ましい。
このため、把持部３０には、空間３４が形成される。この空間３４は、使用者の指を通すことが可能な大きさであることが望ましい。使用者は、指を通すことにより、容器１０を確実に把持することができる。
【００２０】
先端部３３は、収容部２０の底部２２に設けられている脚部２５と脚部２５との間に配置される（図２（Ｂ）参照）。このとき、先端部３３は、脚部２５と脚部２５との間において、底部２２の下面２２１に当接するように形成してもよい。あるいは、把持部３０の幅を広くして、先端部３３が脚部２５の下側に配置されるように形成することもできる。いずれの場合においても、把持部３０の弾性により、先端部３３は底部２２から離れる方向へ弾性変形が可能となっている。なお、先端部３３の下面は、平坦面とするのが望ましい。
【００２１】
また、把持部３０の付け根３１の上面には、凹部３５を形成するのが望ましい。凹部３５の形状は特に限定するものではないが、例えば、使用者の親指の一部が入るような部分球面状や回転楕円面等とすることができる。
なお、容器１０は、プラスチックで形成するのが製作容易性及び価格の面で有利であるが、金属等の弾性を有する材料を用いることも可能である。
【００２２】
次に、容器１０の使用状態について説明する。図３は、本考案に係る実施形態の容器を食器皿４０に取り付けた状態を示す斜視図である。また、図４（Ａ）は図３中矢印Ａ方向から見た正面図であり、図４（Ｂ）は図３中矢印Ｂ方向から見た平面図である。
なお、ここでは、食器皿４０として、バーベキュー等においてよく使用される紙製の皿を用いた場合について説明するが、金属製の皿や、陶器の皿等にも同様に使用することができる。
【００２３】
図３及び図４に示すように、容器１０の収容部２０の底部２２下面２２１と把持部３０の先端部３３上面との間に、食器皿４０の縁端部４１を押し付ける（図３中矢印Ｃ参照）。これにより、先端部３３が下方に弾性変形して開くので、食器皿４０の縁端部４１は把持部３０の空間３４に侵入する。そして、容器１０の収容部２０の側壁２３の外側面２３２が食器皿４０の内周面４２に当接して停止する。
このとき、容器１０の脚部２５が食器皿４０の表面に沿って滑動するが、脚部２５には第１の斜面２５１及び第２の斜面２５２が設けられているので、スムーズに移動することができる。
【００２４】
そして、把持部３０の弾性復帰力により、把持部３０の先端部３３と収容部２０の底部２２との間に食器皿４０の底板４３を挟んで保持する。このとき、底部２２の脚部２５の中央部２５３が食器皿４０の底板４３の上面に当接して支持するので、底部２２の下面２２１と底板４３との間には、隙間２６（図２（Ｂ）参照）が形成される。
このため、図５（Ａ）及び図５（Ｂ）に示すように、底部２２と底板４３との間の隙間２６に箸４４を挿入することができるので、バイキングのような立ち食いの際に、食器皿４０に箸４４を置いても転がり落ちるのを防止することができる。
【００２５】
図６には、食器皿４０に取り付けた容器１０に、飲料水等が入っている缶４５を収容した状態を示す斜視図が示されている。
図６に示すように、容器１０の開口部２４の内径を、缶４５の外径よりも大きく設定することにより、容器１０の収容部２０に缶４５を収容することができる。このとき、収容部２０の内側面２３１の内径が底部２２に向かって漸減しているので、外径が異なる缶４５でも収容できる。
【００２６】
次に、本考案の容器１０の作用効果について説明する。
図１に示すように、把持部３０が、収容部２０の開口部２４側から収容部２０の底部２２の下方まで湾曲して延びるとともに先端部３３が底部２２の下面に近接するので、食器皿４０等に取り付けて使用できる（図３参照）。この際、液体２１を収容可能な収容部２０に、上方に開口する開口部２４を設けたので、醤油やタレ等の液体２１又は飲料が入った缶４５やボトル等を選択的に収容することができる（図３及び図６参照）。
【００２７】
このため、容器１０に醤油やタレ等の液体２１を収容して使用する際に、液体２１を食器皿４０に載せた料理から分離して保持できるので、液体２１と料理が混ざるのを防止できる。また、バイキングのような立ち食いの際に、食器皿４０と容器１０を片方の手で持つことができるので、他方の手で料理をとったり、飲み物を取ったりすることができる。また、軽い紙製の食器皿４０を使用している場合でも、容器１０を取り付けることにより容器１０が錘の役目をするので、風で飛ぶのを防止できる。
【００２８】
また、図２（Ａ）及び図２（Ｂ）に示すように、収容部２０の底部２２の下面２２１に複数個の脚部２５を設けたので、食器皿４０は脚部２５と把持部３０の先端部３３との間に保持される。このとき、収容部２０の底部２２と、食器皿４０の底板４３との間の隙間２６が生じるので、この隙間２６に箸４４を挿入することができる。このため、バイキングのような立ち食いの際に、食器皿４０に箸４４を置いても転がり落ちるのを防止することができる。
【００２９】
また、図２（Ａ）に示すように、収容部２０の内側面２３１の内径が、底部２２に向かって漸減するようにしたので、外径が異なる缶４５やボトル等を安定して保持することができる（図６参照）。
【００３０】
また、図１に示すように、把持部３０の付け根３１の上面に凹部３５を設けたので、凹部３５に指を掛けることにより、食器皿４０に取り付けた容器１０を容易に把持することができる。
【００３１】
さらに、把持部３０の先端部３３の下面を平坦面としたので、容器１０を単独でテーブル等の平坦面に載置した際に安定する。また、容器１０を食器皿４０に取り付けて使用している場合でも、容器１０を取り付けた食器皿４０をテーブル等に載置した際に安定する。
【００３２】
以上、本考案の容器１０について、具体的な実施形態に基づいて説明してきたが、本考案は、前述した具体的な実施形態に限定されるものでなく、本考案の技術思想を逸脱しない範囲における様々な変形及び改良を行ってもよいことは言うまでもない。
例えば、前述した実施形態においては、平面視円形の収容部２０について例示したが、これに限定するものではなく、楕円形や多角形にも適用可能である。
また、脚部２５を２か所設けた場合を例示したが、３か所以上設ける場合にも適用可能である。
【００３３】
このように、技術思想を逸脱しない範囲における様々な変形や改良を行ったものも本考案の技術的範囲に含まれるものであり、そのことは、当業者にとって、実用新案登録請求の範囲の記載から明らかである。
【符号の説明】
【００３４】
１０  容器
２０  収容部
２１  液体
２２  底部
２２１  下面
２３１  内側面
２４  開口部
２５  脚部
３０  把持部
３１  付け根
３３  先端部
３５  凹部
【図１】
0003209943.tif 000003
【図２】
0003209943.tif 000004
【図３】
0003209943.tif 000005
【図４】
0003209943.tif 000006
【図５】
0003209943.tif 000007
【図６】
0003209943.tif 000008